【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
複数のエネルギー検出ユニットを含む解析回路と、
複数のイコライゼーションフィルタを含むイコライザ回路であって、前記イコライザ回路は前記解析回路に連結されている、イコライザ回路と、を備えるオーディオ処理回路であって、
前記解析回路は、オーディオ信号を入力として受信し、前記複数のエネルギー検出ユニットを使用して前記オーディオ信号の複数のサブバンドを取得し、各サブバンドのエネルギーを測定し、各サブバンドの前記エネルギーをエネルギー閾値と比較し、各サブバンドの前記比較に基づいて、前記サブバンドを処理するためのイコライゼーションフィルタのための複数のパラメータを決定する、ように構成されており、
前記複数のエネルギー検出ユニットのうちの少なくとも１つは、
解析フィルタに供給される複数の周波数パラメータに基づいて、前記オーディオ信号の特定のサブバンドを取得するように構成された前記解析フィルタと、
前記特定のサブバンドに関連付けられたエネルギーを測定するように構成されたエネルギー測定回路と、
パラメータマッピング回路と、を含み、
前記パラメータマッピング回路は、
前記測定されたエネルギーを前記特定のサブバンドに対応するエネルギー閾値と比較し、
前記比較に基づいて、前記特定のサブバンドの信号エネルギー減衰のレベルを決定し、
信号エネルギー減衰の前記レベルに対応する複数のパラメータを前記特定のサブバンドに関連付けられたイコライゼーションフィルタに供給する、ように構成されており、
前記イコライザ回路は、前記解析回路による前記オーディオ信号の受信に並行して、前記オーディオ信号を入力として受信し、前記複数のイコライゼーションフィルタを使用して前記オーディオ信号の前記複数のサブバンドを取得し、前記解析回路から前記複数のイコライゼーションフィルタのための前記複数のパラメータを受信し、前記サブバンドに対応する前記複数のパラメータを適用することによって各サブバンドをイコライズし、イコライズされた前記複数のサブバンドを含む出力オーディオ信号を生成する、ように構成されている、オーディオ処理回路。
【請求項２】
前記オーディオ処理回路はスピーカデバイスに含まれるように構成されており、前記オーディオ信号の前記複数のサブバンドは前記スピーカデバイスの複数の共振周波数成分に対応し、前記複数の共振周波数成分は、スピーカドライバおよびスピーカデバイスエンクロージャの変位伝達関数、または遠方場音圧レベル（ＳＰＬ）伝達関数のうちの１または複数に基づく、請求項１に記載のオーディオ処理回路。
【請求項３】
前記複数の共振周波数成分は一次共振周波数および１または複数の二次共振周波数を含む、請求項２に記載のオーディオ処理回路。
【請求項４】
前記エネルギー検出ユニットの数および前記イコライゼーションフィルタの数は、前記オーディオ信号の前記サブバンドの数に対応し、
前記オーディオ信号の前記複数のサブバンドの各々は、前記エネルギー検出ユニットの個別の１つおよび前記イコライゼーションフィルタの個別の１つに関連付けられる、請求項１から３のいずれか一項に記載のオーディオ処理回路。
【請求項５】
サブバンドに関連付けられたイコライゼーションフィルタの振幅特性は、前記サブバンドに関連付けられた対応するエネルギー検出ユニット内に含まれる１または複数の解析フィルタの振幅特性の逆数である、請求項４に記載のオーディオ処理回路。
【請求項６】
サブバンドに関連付けられたイコライゼーションフィルタの伝達関数は、前記サブバンドに関連付けられた対応するエネルギー検出ユニット内に含まれる１または複数の解析フィルタの１または複数の分母係数と同一である１または複数の分母係数を有する、請求項４に記載のオーディオ処理回路。
【請求項７】
サブバンドに関連付けられたイコライゼーションフィルタは、
前記サブバンドが前記オーディオ信号の最も低いサブバンドに対応する場合のシェルフフィルタ、
前記サブバンドが前記オーディオ信号のより上位のサブバンドに対応する場合のノッチフィルタ、
または
前記サブバンドが前記オーディオ信号の最も低いサブバンドに対応する場合のノッチフィルタ、
のうちの１つを含む、請求項４に記載のオーディオ処理回路。
【請求項８】
特定のサブバンドに関連付けられた解析フィルタおよびイコライゼーションフィルタの振幅特性は、形状および度合いがそのサブバンド内の１または複数のスピーカ共振を合成したものに整合する、請求項４に記載のオーディオ処理回路。
【請求項９】
信号エネルギー減衰の前記レベルは、前記特定のサブバンドに関連付けられた前記エネルギーが、対応する前記エネルギー閾値を超える量に基づく、請求項１から８のいずれか一項に記載のオーディオ処理回路。
【請求項１０】
前記複数の周波数パラメータは、前記特定のサブバンドに対応する中心周波数または帯域幅のうちの１または複数を含む、請求項１から９のいずれか一項に記載のオーディオ処理回路。
【請求項１１】
前記複数の周波数パラメータまたは前記エネルギー閾値のうちの１または複数は、前記オーディオ処理回路のユーザによってプログラム可能である、請求項１から１０のいずれか一項に記載のオーディオ処理回路。
【請求項１２】
前記パラメータマッピング回路は、
前記特定のサブバンドに関連付けられたノイズを低減するように構成された平滑化フィルタと、
前記エネルギー閾値との前記比較に基づいて、前記特定のサブバンドの信号エネルギー減衰の前記レベルを決定するように構成されたアタックおよびリリースフィルタと、
信号エネルギー減衰の前記レベルに対応する前記複数のパラメータを決定するように構成されたエネルギー対重み付けマッピング回路と、を含む、請求項１から１１のいずれか一項に記載のオーディオ処理回路。
【請求項１３】
前記エネルギー対重み付けマッピング回路によって決定される前記複数のパラメータは、
信号エネルギー減衰の前記レベルに対応する重み付けパラメータ、または
前記特定のサブバンドに関連付けられた前記イコライゼーションフィルタの振幅特性のための複数の時変係数
のうちの１または複数を含む、請求項１２に記載のオーディオ処理回路。
【請求項１４】
前記解析フィルタはバンドパスフィルタを含む、請求項１から１３のいずれか一項に記載のオーディオ処理回路。
【請求項１５】
前記複数のイコライゼーションフィルタは直列に配置され、
イコライゼーションフィルタは線形フィルタを含み、
前記線形フィルタは、
前記オーディオ信号を入力として受信し、
前記線形フィルタに供給される複数の周波数パラメータに対応する前記オーディオ信号の特定のサブバンドを取得し、
前記特定のサブバンドに関連付けられたエネルギー検出ユニットから、前記特定のサブバンドに対応する複数の時変パラメータを受信し、
前記複数の時変パラメータに基づいて前記線形フィルタの振幅特性を操作し、
前記線形フィルタの前記振幅特性の前記操作に基づいて、前記特定のサブバンドのエネルギーを減衰し、
減衰された前記特定のサブバンドの前記エネルギーを持つ前記オーディオ信号を出力する、ように構成されている、請求項１から１４のいずれか一項に記載のオーディオ処理回路。
【請求項１６】
前記複数の周波数パラメータは、前記特定のサブバンドに対応する中心周波数または帯域幅のうちの１または複数を含む、請求項１５に記載のオーディオ処理回路。
【請求項１７】
前記複数の時変パラメータは、
前記特定のサブバンドの信号エネルギー減衰のレベルに対応する重み付けパラメータ、または
前記線形フィルタの前記振幅特性のための複数の係数、
のうちの１または複数を含み、
前記複数の係数は、前記特定のサブバンドに関連付けられた前記エネルギー検出ユニットによる、前記特定のサブバンドのエネルギーの測定に基づいて決定される、請求項１５に記載のオーディオ処理回路。
【請求項１８】
前記線形フィルタはノッチフィルタを含み、
前記ノッチフィルタの深度は、前記特定のサブバンドに対応する前記複数の時変パラメータに基づく、請求項１５に記載のオーディオ処理回路。
【請求項１９】
オーディオ信号を処理するための方法であって、
オーディオ処理回路で前記オーディオ信号を受信する段階と、
前記オーディオ信号を前記オーディオ処理回路内に含まれる解析回路およびイコライザ回路に供給する段階と、
前記解析回路内に含まれる複数のエネルギー検出ユニットを使用して、前記オーディオ信号の複数のサブバンドを取得する段階と、
前記複数のエネルギー検出ユニットを使用して、各サブバンドのエネルギーを測定する段階と、
前記複数のエネルギー検出ユニットを使用して、各サブバンドの前記エネルギーをエネルギー閾値と比較する段階と、
各サブバンドの前記比較に基づいて、各サブバンドに対応する複数のパラメータを前記イコライザ回路に送信する段階と、
前記イコライザ回路内に含まれる複数のイコライゼーションフィルタを使用して、前記オーディオ信号の前記複数のサブバンドを取得する段階であって、
前記エネルギー検出ユニットの数および前記イコライゼーションフィルタの数は、前記オーディオ信号の前記サブバンドの数に対応し、
前記オーディオ信号の前記複数のサブバンドの各々は、前記エネルギー検出ユニットの個別の１つおよび前記イコライゼーションフィルタの個別の１つに関連付けられており、
サブバンドに関連付けられたイコライゼーションフィルタの伝達関数は、前記サブバンドに関連付けられた対応するエネルギー検出ユニット内に含まれる１または複数の解析フィルタの１または複数の分母係数と同一である１または複数の分母係数を有する、段階と、
前記イコライザ回路において、前記解析回路から、各サブバンドに対応する前記複数のパラメータを受信する段階と、
前記解析回路から受信された前記複数のパラメータに基づいて、前記複数のイコライゼーションフィルタの振幅特性を修正する段階と、
前記複数のイコライゼーションフィルタの修正された前記振幅特性を使用して、前記複数のサブバンドをイコライズする段階と、
イコライズされた前記複数のサブバンドを含む出力オーディオ信号を生成する段階と、を備える、オーディオ信号を処理するための方法。
【請求項２０】
サブバンドに関連付けられたイコライゼーションフィルタの振幅特性は、前記サブバンドに関連付けられた対応するエネルギー検出ユニット内に含まれる１または複数の解析フィルタの振幅特性の逆数である、請求項１９に記載のオーディオ信号を処理するための方法。
【請求項２１】
各サブバンドの前記エネルギーをエネルギー閾値と比較する段階は、
特定のサブバンドに関連付けられたエネルギー検出ユニットによって、前記特定のサブバンドに関連付けられた前記エネルギーが、対応するエネルギー閾値を超える量に基づいて、前記特定のサブバンドの信号エネルギー減衰のレベルを決定する段階と、
前記エネルギー検出ユニットによって、信号エネルギー減衰の前記レベルに対応する重み付けパラメータ、または前記特定のサブバンドに関連付けられたイコライゼーションフィルタの振幅特性のための複数の時変係数のうちの１または複数を計算する段階と、
前記エネルギー検出ユニットによって、前記重み付けパラメータまたは前記複数の時変係数のうちの１または複数を前記イコライゼーションフィルタに送信する段階と、を含む、請求項１９または２０に記載のオーディオ信号を処理するための方法。
【請求項２２】
前記イコライゼーションフィルタにおいて、前記エネルギー検出ユニットから、前記重み付けパラメータまたは前記複数の時変係数のうちの１または複数を受信する段階と、
前記イコライゼーションフィルタによって、前記複数の時変係数に基づいて、前記イコライゼーションフィルタの振幅特性を修正する段階と、
前記イコライゼーションフィルタによって、前記特定のサブバンドを処理する段階と、をさらに備え、
前記処理する段階は、前記イコライゼーションフィルタの修正された前記振幅特性に基づいて、前記特定のサブバンドをイコライズする段階を含む、請求項２１に記載のオーディオ信号を処理するための方法。
【請求項２３】
前記オーディオ処理回路はスピーカデバイスに含まれるように構成されており、前記オーディオ信号の前記複数のサブバンドは、スピーカドライバおよびスピーカデバイスエンクロージャの変位伝達関数、または遠方場音圧レベル（ＳＰＬ）伝達関数のうちの１または複数を使用して、前記スピーカデバイスの複数の共振周波数成分を決定する段階に基づく、請求項１９から２２のいずれか一項に記載のオーディオ信号を処理するための方法。
【請求項２４】
スピーカドライバと、
イコライズされたオーディオ信号を前記スピーカドライバに供給するように構成されたオーディオ処理回路と、を備え、
前記オーディオ処理回路は、
複数のエネルギー検出ユニットを含む解析回路と、
複数のイコライゼーションフィルタを含むイコライザ回路であって、前記イコライザ回路は前記解析回路に連結されている、イコライザ回路と、を含み、
前記エネルギー検出ユニットの数および前記イコライゼーションフィルタの数は、前記オーディオ信号のサブバンドの数に対応し、
前記オーディオ信号の前記サブバンドの各々は、前記エネルギー検出ユニットの個別の１つおよび前記イコライゼーションフィルタの個別の１つに関連付けられ、
前記解析回路は、オーディオ信号を入力として受信し、前記複数のエネルギー検出ユニットを使用して前記オーディオ信号の複数のサブバンドを取得し、各サブバンドのエネルギーを測定し、各サブバンドの前記エネルギーをエネルギー閾値と比較し、各サブバンドの前記比較に基づいて、前記サブバンドを処理するためのイコライゼーションフィルタのための複数のパラメータを決定する、ように構成されており、
サブバンドに関連付けられたイコライゼーションフィルタの振幅特性は、前記サブバンドに関連付けられた対応するエネルギー検出ユニット内に含まれる１または複数の解析フィルタの振幅特性の逆数であり、
前記イコライザ回路は、前記解析回路による前記オーディオ信号の受信に並行して、前記オーディオ信号を入力として受信し、前記複数のイコライゼーションフィルタを使用して前記オーディオ信号の前記複数のサブバンドを取得し、前記解析回路から前記複数のイコライゼーションフィルタのための前記複数のパラメータを受信し、前記サブバンドに対応する前記複数のパラメータを適用することによって、各サブバンドをイコライズし、イコライズされた前記複数のサブバンドを含むイコライズされた前記オーディオ信号を前記スピーカドライバに供給する、ように構成されている、オーディオデバイス。
【請求項２５】
前記オーディオデバイスは、ポータブルＢｌｕｅｔｏｏｔｈ（登録商標）スピーカを備える、請求項２４に記載のオーディオデバイス。
【請求項２６】
前記オーディオ信号の前記複数のサブバンドは、前記オーディオデバイスの複数の共振周波数成分に対応し、前記複数の共振周波数成分は、前記スピーカドライバおよびスピーカデバイスエンクロージャの変位伝達関数、または遠方場音圧レベル（ＳＰＬ）伝達関数のうちの１または複数に基づく、請求項２４または２５に記載のオーディオデバイス。
【請求項２７】
サブバンドに関連付けられたイコライゼーションフィルタの伝達関数は、前記サブバンドに関連付けられた対応するエネルギー検出ユニット内に含まれる１または複数の解析フィルタの１または複数の分母係数と同一である１または複数の分母係数を有する、請求項２４から２６のいずれか一項に記載のオーディオデバイス。
【請求項２８】
サブバンドに関連付けられたイコライゼーションフィルタは、
前記サブバンドが前記オーディオ信号の最も低いサブバンドに対応する場合のシェルフフィルタ、
前記サブバンドが前記オーディオ信号のより上位のサブバンドに対応する場合のノッチフィルタ、
または
前記サブバンドが前記オーディオ信号の最も低いサブバンドに対応する場合のノッチフィルタ、
のうちの１つを含む、請求項２４から２７のいずれか一項に記載のオーディオデバイス。
【請求項２９】
前記オーディオ処理回路はスピーカデバイスに含まれ、前記オーディオ信号の前記複数のサブバンドを取得する段階は、
前記スピーカデバイスの複数の共振周波数成分に対応する前記オーディオ信号の前記複数のサブバンドを決定する段階であって、前記複数の共振周波数成分は、スピーカドライバおよびスピーカデバイスエンクロージャの変位伝達関数、または遠方場音圧レベル（ＳＰＬ）伝達関数のうちの１または複数に基づく、段階を含み、
前記複数の共振周波数成分は、一次共振周波数および１または複数の二次共振周波数を含む、請求項１９から２３のいずれか一項に記載のオーディオ信号を処理するための方法。
【請求項３０】
前記オーディオ信号の前記複数のサブバンドを取得する段階は、複数の周波数パラメータに基づき、前記オーディオ信号の特定のサブバンドを取得する段階を含み、
前記複数の周波数パラメータまたは前記エネルギー閾値のうちの１または複数は、前記オーディオ処理回路のユーザによってプログラム可能である、請求項１９から２３および２９のいずれか一項に記載のオーディオ信号を処理するための方法。